(57)【要約】【課題】腹圧性尿失禁を軽減するのに好適なショーツの提供。【解決手段】ショーツ１は、前胴回り部２の少なくとも中央部分２ａと、後胴回り部３の両側部分３Ｌ，３Ｒの少なくとも一部分が弾性生地で形成される。後胴回り部３は、中央部分３ｃに縦方向Ａに並ぶ下方部位１７ａと上方部位１７ｂとを有する。下方部位１７ａは非伸長性の生地で形成され、上方部位１７ｂは弾性生地で形成される。下方部位１７ａは、非伸長性の生地で形成されたクロッチ部４の後端部分４ｄにつながっている。【選択図】図１
2015048547.tif 000002
【特許請求の範囲】
【請求項１】
前胴回り部と後胴回り部とクロッチ部とを有し、前記前胴回り部と前記後胴回り部とが互いの側方部分において縫合され、前記前記クロッチ部の前端部分が前記前胴回り部に縫合される一方、前記クロッチ部の後端部分が前記後胴回り部に縫合されているショーツであって、
前記クロッチ部は、前後方向に非伸長性である生地によって形成され、
前記前胴回り部は、縦方向と横方向とに弾性的に伸長する弾性生地によって前記横方向の少なくとも中央部分が形成され、
前記後胴回り部は、前記横方向の中央部分を除く両側部分の少なくとも一部分が前記縦方向と前記横方向とに弾性的な伸長性を有する弾性生地で形成されていて（このように書き替えましたが、前胴回り部からここまでを削除しますか？？？）、前記中央部分は前記クロッチ部の前記後端部分から前記ショーツの頂部に向かって延びる下方部位が前記縦方向に非伸長性である生地で形成され、前記下方部位に縫合されていて前記下方部位から前記ショーツの前記頂部にまで延びる上方部位が前記縦方向に弾性的に伸長する弾性生地で形成されており、前記横方向へ延びる折曲線において前記クロッチ部を折曲して前記前胴回り部と前記後胴回り部との前記頂部を重ね合わせたときの前記ショーツでは、前記頂部から前記折曲線に至るまでの距離に対しての前記上方部位における前記頂部から前記下方部位に至るまでの距離の割合が６０−４０％の範囲にあり、前記後胴回り部の前記下方部位は、前記クロッチ部の前記後端部分に縫合されている部分の幅が、前記クロッチ部の前記後端部分の幅よりも小さくて、前記下方部位に縫合されている部分の前記上方部位の幅と同じであるかまたは前記上方部位の前記幅よりも大きいことを特徴とする前記ショーツ。
【請求項２】
前記頂部に向かって延びる前記下方部位が前記ショーツの着用者の仙骨底にまで延びる請求項１記載のショーツ。
【請求項３】
前記クロッチ部の外側では、前記前後方向における長さが前記クロッチ部の長さよりも短くて、前記前後方向へ弾性的に伸長すると前記クロッチ部よりも長くなることが可能な弾性生地が前記クロッチ部の前端部分と前記後端部分とのみに縫合されている請求項１または２記載のショーツ。
【請求項４】
前記ショーツの前記頂部では、前記横方向へ弾性的に伸長可能なウエストベルト部を形成している請求項１−３のいずれかに記載のショーツ。
【請求項５】
前記ウエストベルト部は、前記前胴回り部に形成されている部分の前記横方向における伸長力が前記後胴回り部に形成されている部分の前記横方向における伸長力よりも小さい請求項４記載のショーツ。
【請求項６】
前記前胴回り部における前記ウエストベルト部では、前記前胴回り部を形成しているシート部材が重ね合せてあり、前記後胴回り部における前記ウエストベルト部では、前記後胴回り部を形成しているシート部材が重ね合せてあって、前記前胴回り部で重ね合せてある前記シート部材の枚数が前記後胴回り部で重ねてある前記シート部材の枚数よりも少ない請求項４または５記載のショーツ。
【請求項７】
前記ウエストベルト部は、前記ショーツの着用者の腸骨の上方で前記着用者に密着可能なものである請求項４−６のいずれかに記載のショーツ。
【発明の詳細な説明】
【技術分野】
【０００１】
この発明は、骨盤底筋のゆるみ等に起因する尿失禁の症状がある場合に着用するのに好適なショーツに関する。
【背景技術】
【０００２】
骨盤底筋のゆるみ等に起因する腹圧性尿失禁の症状はよく知られている。また、骨盤底筋にゆるみがある場合に着用するのに好適なパンティやガードルは従来公知ないし周知である。そのような尿失禁にそなえての吸尿パッドを着用することのできるショーツも知られている。
【０００３】
例えば、実開昭５８−４６３１３号公報（特許文献１）に記載の女性用骨盤サポーターは、伸縮性がある布で作った女性用パンティーに弾力性が強いベルトが取り付けられている。ベルトは、両腸骨稜、恥骨結合部、仙骨下方部分を圧迫するように取り付けられている。パンティーの前面には、適度の圧迫が下腹部に加えられることを目的に、伸縮性に乏しい布が取り付けられている。
【０００４】
実用新案登録第３０５５０９９号公報（特許文献２）に記載のショーツは、クロッチ部とクロッチ部の内面側に前後両端部が取り付けられた防水布とを有する。クロッチ部は伸縮性のものであり、防水布は非伸縮性のものであるか、クロッチ部よりも低い伸縮性を有するものである。防水布はまた、クロッチ部よりも３−３５ｍｍ程度長く作られている。このショーツを着用すると、クロッチ部が弾性的に伸長して防水布を下から支えるから、防水布の内面に取り付けられた生理用ナプキンは肌に密着することが可能になる。
【先行技術文献】
【特許文献】
【０００５】
【特許文献１】実開昭５８−４６３１３号公報（ＪＰ  １９８３−４６３１３  Ｕ）
【特許文献２】実用新案登録第３０５５０９９号公報（ＪＰ  ３０５５０９９  Ｕ）
【発明の概要】
【発明が解決しようとする課題】
【０００６】
従来の骨盤サポーターは、骨盤を下から上へと持ち上げる作用を有するものであるが、その作用と共に腹部を圧迫する作用を有し、腹圧性尿失禁を軽減する効果が定かではない。例えば、特許文献１に記載のショーツは、出産後の女性や中高年の女性が経験することの多い腹圧性尿失禁についての対策が施されたものとはいい難い。また、ベルトはパンティーの後面を広く覆っているから、着用者の前屈動作等の動きに伴って腰部や股部の肌が大きく動いたときに、パンティーの後面はその動きに追随することができず、結果として肌がベルトをこすり、背ずれを起こしかねないというおそれがある。特許文献２に記載のショーツは、生理用ナプキンに代えて吸尿パッドを使用しながら骨盤を下方から支えることができるものではあるが、前身頃と後身頃の全体は伸縮性編地で形成されているから、防水布でできたクロッチ部の前後両端がこれら身頃につながっているショーツでは、ショーツを引き上げるときにクロッチ部を速やかに伸長させることが必ずしも容易ではないと考えられる。
【０００７】
そこで、この発明では、腹圧性尿失禁を軽減するのに好適であって、背ずれを防止することにも好適なショーツの提供を課題にしている。
【課題を解決するための手段】
【０００８】
前記課題を解決するために、この発明が対象とするのは、前胴回り部と後胴回り部とクロッチ部とを有し、前記前胴回り部と前記後胴回り部とが互いの側方部分において縫合され、前記前記クロッチ部の前端部分が前記前胴回り部に縫合される一方、前記クロッチ部の後端部分が前記後胴回り部に縫合されているショーツである。
【０００９】
このショーツにおいて、この発明が特徴とするところは、次のとおりである。前記クロッチ部は、前後方向に非伸長性である生地によって形成され、前記前胴回り部は、縦方向と横方向とに弾性的に伸長する弾性生地によって前記横方向の少なくとも中央部分が形成され、前記後胴回り部は、前記横方向の中央部分を除く両側部分の少なくとも一部分が前記縦方向と前記横方向とに弾性的な伸長性を有する弾性生地で形成されていて（このように書き替えましたが、前胴回り部からここまでを削除しますか？？？）、前記中央部分は前記クロッチ部の前記後端部分から前記ショーツの頂部に向かって延びる下方部位が前記縦方向に非伸長性である生地で形成され、前記下方部位に縫合されていて前記下方部位から前記ショーツの前記頂部にまで延びる上方部位が前記縦方向に弾性的に伸長する弾性生地で形成されており、前記横方向へ延びる折曲線において前記クロッチ部を折曲して前記前胴回り部と前記後胴回り部との前記頂部を重ね合わせたときの前記ショーツでは、前記頂部から前記折曲線に至るまでの距離に対しての前記上方部位における前記頂部から前記下方部位に至るまでの距離の割合が６０−４０％の範囲にあり、前記後胴回り部の前記下方部位は、前記クロッチ部の前記後端部分に縫合されている部分の幅が、前記クロッチ部の前記後端部分の幅よりも小さくて、前記下方部位に縫合されている部分の前記上方部位の幅と同じであるかまたは前記上方部位の前記幅よりも大きい。
【発明の効果】
【００１０】
この発明に係るショーツは、着用者の骨盤を下から支えることができるように、クロッチ部と、クロッチ部の後端部分につながる後胴回り部の下方部位とが非伸長性の生地で形成されている。また、後胴回り部の上方部位が弾性生地によって形成されている。このようなショーツを着用するときに、ショーツの頂部を持ってショーツを引き上げると、引き上げる力が非伸長性の下方部位を介して非伸縮性のクロッチ部に伝わり、クロッチ部を速やかに引き上げて身体に密着させることができる。着用後のショーツでは、弾性生地で形成されている後胴回り部の上方部位が、弾性生地で形成されているから、身体の動きに合わせて伸長したり収縮したりして、ショーツは脊柱のうちの腰椎等を覆っている肌を強くこすることのない着用感のよいものになる。
【図面の簡単な説明】
【００１１】
以下の図面は、この発明の特定の実施の形態を示しているが、発明に不可欠な構成の他に、この発明において選択的に使用することのできる構成およびこの発明においての好ましい実施の形態を含んでいる。
【図１】（ａ）と（ｂ）とによって、この発明に係るショーツの外面側を示す図。（ａ）は主として前胴回り部を示し、（ｂ）は主として後胴回り部を示す。
【図２】（ａ）と（ｂ）とによって、この発明に係るショーツの内面側を示す図。（ａ）は主として前胴回り部を示し、（ｂ）は主として後胴回り部を示す。
【図３】図１のＩＩＩ−ＩＩＩ線切断面の模式図。
【図４】実施態様の一例を示す図３と同様な図。
【発明を実施するための形態】
【００１２】
添付の図面を参照して、この発明に係るショーツの詳細を説明すると、以下のとおりである。
【００１３】
図１の（ａ）において、ショーツ１は、前胴回り部２と、後胴回り部３と、クロッチ部４とを有し、前胴回り部２と後胴回り部３とによって胴回り開口１ａが形成され、前胴回り部２と後胴回り部３とクロッチ部４とによって一対の脚回り開口１ｂが形成されている。ショーツ１はまた、互いに直交する縦方向Ａと横方向Ｂと前後方向Ｃ（図３参照）とを有し、横方向Ｂの寸法を二等分する線Ｄ−Ｄに関して対称に作られている。ただし、図１におけるショーツ１は、前胴回り部２と後胴回り部３との後記頂部２０が重なり合うようにクロッチ部４を横方向Ｂへ延びる折曲線５に沿って折り重ねた状態で示されている。ショーツ１において、着用（図示せず）の肌に対向する面は内面であり、着衣に対向する面は外面である。なお、この発明に係るショーツは、着用者の腰部に密着して、その腰部を覆う脚部のない下着であって、ブリーフと呼ばれたりアンダーパンツと呼ばれたりすることもある。
【００１４】
前胴回り部２と後胴回り部３とは、縦方向Ａと横方向Ｂとに弾性的に伸長可能な弾性生地、例えばポリウレタン繊維を含んだツーウェイストレッチ生地であるベア天竺によって形成されている。すなわち、この場合の弾性生地は、前胴回り部２と後胴回り部３それぞれのほぼ全体に広がる身生地１１，１２となるものである。図示例において、前胴回り部２の幅（横方向Ｂの寸法）は、後胴回り部３の幅よりもやや狭く、図１の（ａ）には前胴回り部２と後胴回り部３との縫合線６が見えている。ショーツ１において、縫合線６に沿う部分は着用者（図示せず）の脇部を覆う部分７である。ショーツ１の最上部である前胴回り部２と後胴回り部３との頂部２０には、胴回り開口１ａを周回するウエストベルト部２１が形成されている。ウエストベルト部２１は、横方向Ｂへ弾性的に伸長、収縮可能であって、折曲線５に一致するクロッチ部４の最下端部４ｂからの縦方向Ａにおける距離Ｈ０が着用者の腸骨の上方に届く長さにあって、着用したショーツ１のずり下がりを防ぐことができる。好ましいウエストベルト部２１は、縦方向Ａの寸法すなわち幅が５−２５ｍｍの範囲にある。
【００１５】
クロッチ部４は、その外面の全体を形成する身生地として、横方向Ｂと前後方向Ｃとに非伸長性の生地４ａが使用されていて、前端部分４ｃが縫合線１３において前胴回り部２に縫合されている。
【００１６】
図１の（ｂ）において、後胴回り部３は、横方向Ｂの中央に位置する中央部分３ｃと、中央部分３ｃの左側方に位置する左臀部３Ｌと、中央部分３Ｃの右側方に位置する右臀部３Ｒとに区分されている。中央部分３Ｃには、ショーツ着用者の臀裂（図示せず）を覆うことができるだけの幅、好ましくは少なくとも２０ｍｍの幅を有して縦方向Ａへ延びる下方部位１７ａと上方部位１７ｂとが形成されている。下方部位１７ａは、縦方向Ａにおいて非伸長性である生地、例えばポリエステル繊維製のマーキゼットによって形成されていて、弾性的にも、非弾性的にも伸長することがない。上方部位１７ｂは、縦方向Ａにおいて弾性的に伸長可能な生地、例えばポリウレタン繊維を９−１１質量％含むモダール天竺またはベア天竺によって形成されていて、着用後のショーツ１において縦方向Ａへ弾性的に伸長、収縮可能である。下方部位１７ａは、縫合線１４においてクロッチ部４の後端部分４ｄに縫合され、縫合線１９によって上方部位１７ｂに縫合されている。下方部位１７ａと上方部位１７ｂとは、一対の縫合線１８によって、後胴回り部３における左臀部３Ｌと右臀部３Ｒとに縫合されている。なお、この発明においての左と右とは、ショーツ１を着用後の着用者（図示せず）にとっての左と右とを意味している。図１の（ｂ）のクロッチ部４では、後端部４ｄが縫合線１４において後胴回り部３に縫合されている。
【００１７】
このように形成されているショーツ１の縦方向Ａにおいて、ショーツ１の頂部２０と最下端部４ｂとの間の距離はＨ１であり、頂部２０と縫合線１９との間の距離、すなわち上方部位１７ｂの長さである上方部位１７ｂが下方部位１７ａに縫合されている縫合線１９から頂部２０までの距離はＨ２であって、距離Ｈ２は縫合線１９の幅を含む値である。好ましいショーツ１において、距離Ｈ２は距離Ｈ１に対する割合が６０−４０％となるように設定されている。この割合が６０％を越えるときには、頂部２０を持って下方部位１７ａ、上方部位１７ｂを介してクロッチ部４を肌に密着させるときの力がクロッチ部４に伝わりにくくなる。また、この割合が４０％未満であると、上方部位１７ｂの弾性域としての作用、効果が乏しくなり、下方部位１７で肌をこする可能性が高くなる。ウエストベルト部２１は、最下端部４ｂから距離Ｈ０の位置にある。ショーツ１の横方向Ｂにおいて、縫合線１４の両端部によって規定されるクロッチ部４の後端部４ｄの幅はＷ１であり、縫合線１４の上における下方部位１７ａの幅はＷ２である。また、下方部位１７ａと上方部位１７ｂとの縫合線１９に沿う幅はＷ３である。好ましいショーツ１において、幅Ｗ２は、幅Ｗ１よりも小さく、幅Ｗ３よりも大きくなるように設定されている。また、幅Ｗ３の値は、好ましくは２０ｍｍよりも大きい。
【００１８】
図２は、図１のショーツ１を裏返すことによってショーツ１の内面を示す図であり、（ａ）は主として前胴回り部２の内面を示し、（ｂ）は主として後胴回り部３の内面を示している。
【００１９】
図２の（ａ）においては、ショーツ１の脇部を覆う部分７のうちで前胴回り部２に属する部分７ａには、ショーツ１の第１当て布３１として前胴回り部２における身生地１１よりも大きい伸長力を有する生地、例えば一枚のパワーネットが縫合線６と縫合線３２，３３（図２の（ｂ）参照），３４とにおいて前胴回り部２に縫合されている。縫合線３２は、ウエストベルト部２１を形成するためのもので、前胴回り部２の身生地１１とそれを内面側に折り返した部分の生地との重ね合わせ、および後胴回り部３の身生地１２とそれを内面側に折り返し部分の生地との重ね合わせとに対して形成されている。縫合線３４は、第１当て布３１を前胴回り部２に縫合するためのものである。脇部を覆う部分７のうちで後胴回り部３に属する部分７ｂには、ショーツ１における第２当て布３６として後胴回り部３における弾性生地よりも大きい伸長力を有する生地、例えば二枚重ねにしてあるパワーネットが縫合線６と縫合線３２，３３とにおいて後胴回り部３に縫合されている。第１当て布３１と第２当て布３６とは、ウエストベルト部２１の内側にまで延びていて、前胴回り部２の身生地１１または後胴回り部３の身生地１２によってサンドウィッチされている。
【００２０】
クロッチ部４は、互いに重なり合う内面シート５１、中間シート５２、外面シート５３（図１を併せて参照）によって形成されている。内面シート５１は着用者の肌と向かい合うもので、非伸長性であるかまたは容易に伸長することのないシート、より好ましくは非伸長性で不透水性のシートによって形成されていて、ショーツ１と併用する場合の失禁パッドや吸尿パッド（図示せず）を重ね合わせるのに適している。中間シート５２は、クロッチ部４を曲げ剛性の高いものにして、失禁パッド等の取り付けを容易にする他に、着用者の骨盤底筋を下方から支えるように作用する。中間シート５２は、ショーツ１の前後方向において非伸長性の生地であるか容易には伸長することのない生地、例えば伸長力の大きいパワーネットで形成される。外面シート５３は、クロッチ部４を非伸長性のものにする他に、失禁パッド等における粘着性のウイング部分（図示せず）をクロッチ部４に剥離可能に止着することができるようにするためのものであって、それには例えばポリエステル繊維で形成されたマーキゼットが使用される。なお、クロッチ部４が内面シート５１と外面シート５３とだけでも骨盤底筋を支えることができたり、失禁パッドの取り付けを容易にしたりすることができる場合には、中間シート５２の使用を省くことができる。また、クロッチ部４に吸水性や吸湿性を持たせるときには、内面シート５１や中間シート５２に綿布や高吸収高吸湿性であるベルオアシス（登録商標）等を使用する一方、外面シート５３には不透水性シートを使用することができる。さらには、外面シート５３も吸水性や吸湿性のシートで作ることができる。
【００２１】
図２の（ｂ）において、後胴回り部３には、身生地１２のためのツーウェイストレッチ生地として、横方向Ｂにおける伸長力がベア天竺の伸長力よりも大きいＣＳＹ天竺を使用することもできる。また、後胴回り部３の左臀部３Ｌと右臀部３Ｒとのそれぞれでは、ウエストベルト部２１に沿って横方向Ｂへ延びる部分に対する当て布として、後胴回り部３における身生地１２よりも大きい伸長力を有する生地、例えば一枚のパワーネット６１が縫合線６，１８，３２，６２において縫合されている。そのパワーネット６１は、ウエストベルト部２１に進入している。身生地１２に対して形成されている縫合線６２は、縫合線６（図２の（ａ）参照）と縫合線１８との間にあって上方に向かって凸となるような弧を画いていて、縫合線１９につながっている。また、クロッチ部４の後端部４ｄから脇部を覆う部分７ｂの下端部６３に至るまでの着用者の臀溝に沿う臀溝部分３５と、脇部を覆う部分７ｂの下端部６３からウエストベルト部２１に至るまでの脇部を覆う部分７ｂとには、当て布として身生地１２よりも大きな伸長力を有する、例えば二枚重ねのパワーネット６４が縫合線６（図２（ａ）参照），１８，３３，６６によって身生地１２に縫合されている。縫合線６６は、縫合線１８と縫合線３２との間にあって、弧を画いて延びている。後胴回り部３は、中央部分３ｃの両側それぞれに位置する左臀部３Ｌと右臀部３Ｒとがツーウェイストレッチ生地を含むことによって、それら臀部３Ｌ，３Ｒの少なくとも一部分が弾性的に伸長、収縮可能である。
【００２２】
後胴回り部３ではまた、中心線Ｄ−Ｄに沿って縦方向Ａへ延びる非伸長性の下方部位１７ａが縫合線１４においてクロッチ部４に縫合されている。また、中心線Ｄ−Ｄに沿って縦方向Ａへ延びる上方部位１７ｂは、上端部６８ａが縫合線３２においてウエストベルト部２１に縫合され、下端部６８ｂが縫合線１９において下方部位１７ａに縫合されている。上方部位１７ｂは縦方向Ａと横方向Ｂとのうちの少なくとも縦方向Ａにおいて弾性的に伸長可能な生地、例えば後胴回り部３の身生地１２の共布よって形成されている。
【００２３】
図３は、図１のＩＩＩ−ＩＩＩ線切断面を示す模式図であって、ＩＩＩ−ＩＩＩ線は中心線Ｄ−Ｄに一致している。なお、図１，２では前胴回り部２と後胴回り部３とが重なり合う状態にあったが、図３では、クロッチ部４を明示することができるように、前胴回り部２と後胴回り部３とがショーツ１の前後方向において離間させてある。また、クロッチ部４では、内面シート５１、中間シート５２、外面シート５３の図示が省略されている。
【００２４】
クロッチ部４は、着用者の腹部を圧迫することがないように、前胴回り部２に対する縫合線１３（図１の（ａ）参照）が恥骨に相当する位置、または恥骨の上方に相当する位置にあることが好ましい。そのようなクロッチ部４はまた、恥骨と肛門との間、より好ましくは恥骨から尾骨までの間に延びていると、着用者の身体に密着したときに骨盤底筋を押し上げるように支えて、骨盤底筋が尿道を圧迫して尿道を通常の位置から変化させてしまうことを抑制できるから、尿失禁を防いだり軽減したりすることができる。そのようなクロッチ部４に体液吸収性のパッド、例えば生理用パッドや失禁パッドを取り付けておくと、クロッチ部４の前端部分４ｃによってパッドを恥骨下方に位置する尿道口と膣口とにあてがうことが可能になる。
【００２５】
このように形成されているショーツ１では、クロッチ部４の最下端部４ｂからショーツ１のウエストベルト部２１までの距離Ｈ０（図１の（ｂ）参照）を調整して、ウエストベルト部２１が腸骨の上方に位置するようにすることによって、より好ましくは腸骨稜に上方から当たるような位置にあることによって、クロッチ部４がずり下がることなく、身体に対して密着している状態を維持することができる。そのようなクロッチ部４はまた、後端部４ｄが非伸縮性であって縦方向Ａの下方に向かって幅が次第に大きくなる下方部位１７ａにつながっていて、その下方部位１７ａの幅Ｗ２はクロッチ部４の幅Ｗ１よりも小さく（図１の（ｂ）参照）、ショーツ１を引き上げるときの力がクロッチ部４の横方向Ｂにおける中央部分に集中するようになっている。それゆえ、クロッチ部４に取り付けた失禁パッドはその幅方向の中央部分が身体に密着し続けることになる。クロッチ部４とウエストベルト部２１とが身体に密着している状態のショーツ１では、身体の動きに伴って後胴回り部３の中央部分３Ｃが脊柱を覆う部分の肌をこするように動こうとするときに、中央部分３Ｃのうちの上方部位１７ｂが弾性的に伸長したり収縮したりするので、肌をこすることが少なくなる。それゆえ、ショーツ１は、それを着用しているときに肌をこすることが少なくて、着用感のよいものになる。
【００２６】
ショーツ１ではさらにはまた、後胴回り部３におけるウエストベルト部２１の横方向Ｂへの伸長力が、前胴回り部２におけるウエストベルト部２１の横方向Ｂへの伸長力よりも大きくなるように形成されていることによって、ショーツ着用者の腹圧が前胴回り部２を前方へ押しやるように作用して骨盤を押し下げるように作用することが抑えられ、その結果として、ショーツ１は骨盤底筋の緩みに起因する腹圧性失禁を防止できるという効果を奏する。横方向Ｂにおいて、前胴回り部２におけるウエストベルト部２１の伸長力と後胴回り部３におけるウエストベルト部２１の伸長力とに差を持たせるには、図示例の如く、後胴回り部３において使用しているパワーネット６１や６４を身生地１２とともにウエストベルト部２１の構成材料として使用すればよい。そのようなウエストベルト部２１では、ウエストベルト部２１を形成しているシート状部材の重なり合う枚数が前胴回り部２におけるよりも後胴回り部３における枚数が多くなっている。なお、ウエストベルト部２１は、横方向Ｂへの弾性的な伸長力を調整するために、胴回り開口１ａを周回する帯状ゴムを含むものであってもよい。ショーツ１はまた、前胴回り部２に使用している身生地１１の横方向Ｂにおける伸長力よりも後胴回り部３に使用している身生地１２の横方向Ｂにおける伸長力を大きくすることによっても、腹圧を着用者の前方へ逃がすことができる。身生地１１にベア天竺を使用し、身生地１２にＣＳＹ天竺を使用するのは、その一例である。
【００２７】
着用したショーツ１ではさらにまた、臀溝を覆う部分３５に縫合されている伸長力の大きい二枚重ねのパワーネット６４が臀溝に沿って、好ましくは弾性的に伸長した状態で骨盤を臀部の下方から支えることができる。また、脇部を覆う部分７ｂに縫合されている伸長力の大きい二枚重ねのパワーネット６４は、骨盤を側方から支えて、骨盤の側方へ広がろうとする動きを抑えることができる。骨盤底筋は骨盤に接合しているため、骨盤が側方へ広がると骨盤底筋は延びてしまって収縮することが難しくなるのであるが、ショーツ１によって骨盤がこのように支えられると、骨盤底筋は収縮することが容易になる。さらには、前胴回り部２のうちで少なくとも着用者の腹部を覆う部分である中央部分２ａ（図１（ａ）参照）、具体的には恥骨よりも上方にあって左右の腸骨の間にある中央部分２ａが二方向へ弾性的に伸張する身生地１１のみで形成されていることによって、着用者が重い荷物を持ったとき等に生じる腹圧は、それを中央部分２ａからショーツ１の外側に向かって逃がし、腹圧が骨盤底筋を押し下げるように作用することを防ぐことができる。骨盤がこのように支えられたり、腹圧をこのように逃がしたりすることができることによって、ゆるんでいる骨盤底筋であっても膀胱や尿道を支えることができるようになり、その結果として尿道が締まるようになるから、着用者が咳をしたり、重い荷物を持ったりして腹圧がかかったときに生じ易い尿失禁を防ぐことができる。
【００２８】
すなわち、このショーツ１は、妊娠や出産、肥満等が原因となって骨盤底筋がゆるんで膀胱や尿道が下がってしまい、咳をしたり、重い荷物を持ったりして腹圧がかかったときには尿道をうまく締めることができず、尿が漏れ易いという場合において、特に優れた効果を発揮することができる。加えて、クロッチ部４には失禁パッド(図示せず)を予め取り付けておくことによって、失禁パッドを身体に密着させることができ、尿が漏れたときのそなえにすることができる。
【００２９】
図４は、実施態様の一例を示す図３と同様な図である。ただし、図４のショーツ１では、クロッチ部４の外側に弾性生地で形成された弾性帯４１が取り付けられている。弾性帯４１は、クロッチ部４の前端部分４ｃと後端部４ｄとにおいてのみクロッチ部４に縫合されていて、前後方向Ｃにおいて、弾性的に伸長、収縮することが可能なもので、図では収縮した状態にある。その状態にある弾性帯４１の前後方向Ｃにおける長さはクロッチ部４の長さよりも短いが、伸長したときの長さはクロッチ部４の長さと同じになるか、クロッチ部４の長さよりも長くなる。弾性帯４１の幅（図示せず）は、クロッチ部４の幅と同じであるか、クロッチ部４の幅よりも小さい。それゆえ、図では収縮した状態にあって、弧を画いている弾性帯４１に対して、弾性帯４１よりも長さの長いクロッチ部４は、例えば図示の如く折れ曲がった状態にある。
【００３０】
このショーツ１を着用すると、弾性帯４１が前後方向Ｃにおいて伸長することに伴い、クロッチ部４も前後方向Ｃにおいて緊張状態になる。クロッチ部４に取り付けた失禁パッド（図示せず）は、緊張状態にあるクロッチ部４と弾性帯４１とに支えられた状態で尿道口と膣口とに密着することが可能である。
【００３１】
ショーツ１の一例において、ベア天竺には、８９質量％の綿糸と、１１質量％のウレタン糸とを含み、１ｍ２当たりの質量が１５０−１６０ｇのものを使用することができる。ＣＳＹ天竺には、５６質量％のレーヨン糸と、３５質量％の綿糸と、９質量％のウレタン糸とを含み、１ｍ２当たりの質量が１６５−１７５ｇのものを使用することができる。サテンには、１００質量％のポリエステル糸で形成され、１ｍ２当たりの質量が１５５−１６５ｇのものを使用することができる。パワーネットには、８２質量％のナイロン糸と、１８質量％のウレタン糸とを含み、１ｍ２当たりの質量が１４５−１５５ｇのものを使用することができる。クロッチ部４における内面シート５１には１００質量％のポリエステル糸で形成され、１ｍ２当たりの質量が１０５−１１５ｇのものを使用することができる。外面シート５３には、１００質量％のポリエステル糸で形成され、１ｍ２当たりの質量が５５−６５ｇのマーキゼットを使用することができる。
【００３２】
この発明において、前胴回り部２や後胴回り部３、クロッチ部４においての縦方向Ａまたは横方向Ｂの伸長力を比較するには、次のようにする。すなわち、伸長すべき方向の寸法が４０ｍｍ、その方向に直交する方向の寸法が５ｍｍの矩形の試片を各部から採取し、引張り試験機におけるチャック間距離が３０ｍｍとなるように前記試片の長さ方向の両端部を５ｍｍずつ把持して伸長すべき方向へ５０ｍｍ／ｍｉｎの速度で引っ張ったときの３％伸長時または１０％伸長時、すなわち引っ張る前の長さよりも３％または１０％だけ長くなったときにおける伸長力をもって比較する。
【００３３】
また、前胴回り部２に位置するウエストベルト部２１と後胴回り部３に位置するウエストベルト部２１との横方向Ｂにおける伸長力を比較するには、次のようにする。すなわち、ショーツ１において、縫合線３２の下方２−３ｍｍの位置でウエストベルト部２１を切り離す。切り離したウエストベルト部２１は、縫合線６において前胴回り部分と後胴回り部分とに切り分けて各部分の試片とする。各試片は、引張り試験機のチャック間に位置させる長さが同じとなるように、好ましくは少なくとも１５０ｍｍとなるように横方向Ｂにおける両端部分それぞれをチャックにつかませて、５０ｍｍ／ｍｉｎの速度で引っ張る。チャック間の試片の長さをＬ０とし、その長さＬ０が１０％長くなったときの伸長力をもって、各部分の伸長力を比較する。
【００３４】
以上に記載した本発明に関する開示は、少なくとも下記事項に整理することができる。
【００３５】
前胴回り部と後胴回り部とクロッチ部とを有し、前記前胴回り部と前記後胴回り部とが互いの側方部分において縫合され、前記前記クロッチ部の前端部分が前記前胴回り部に縫合される一方、前記クロッチ部の後端部分が前記後胴回り部に縫合されているショーツであって、
前記クロッチ部は、前後方向に非伸長性である生地によって形成され、
前記前胴回り部は、縦方向と横方向とに弾性的に伸長する弾性生地によって前記横方向の少なくとも中央部分が形成され、
前記後胴回り部は、前記横方向の中央部分を除く両側部分の少なくとも一部分が前記縦方向と前記横方向とに弾性的な伸長性を有する弾性生地で形成されていて（このように書き替えましたが、前胴回り部からここまでを削除しますか？？？）、前記中央部分は前記クロッチ部の前記後端部分から前記ショーツの頂部に向かって延びる下方部位が前記縦方向に非伸長性である生地で形成され、前記下方部位に縫合されていて前記下方部位から前記ショーツの前記頂部にまで延びる上方部位が前記縦方向に弾性的に伸長する弾性生地で形成されており、前記横方向へ延びる折曲線において前記クロッチ部を折曲して前記前胴回り部と前記後胴回り部との前記頂部を重ね合わせたときの前記ショーツでは、前記頂部から前記折曲線に至るまでの距離に対しての前記上方部位における前記頂部から前記下方部位に至るまでの距離の割合が６０−４０％の範囲にあり、前記後胴回り部の前記下方部位は、前記クロッチ部の前記後端部分に縫合されている部分の幅が、前記クロッチ部の前記後端部分の幅よりも小さくて、前記下方部位に縫合されている部分の前記上方部位の幅と同じであるかまたは前記上方部位の前記幅よりも大きいことを特徴とする前記ショーツ。
【００３６】
上記段落に開示したこの発明は、少なくとも下記の実施の形態を含むことができる。これらの実施の形態は、分離して又は互いに組み合わせて採択することができる。
（１）前記頂部に向かって延びる前記下方部位が前記ショーツの着用者の仙骨底にまで延びる。
（２）前記クロッチ部の外側では、前記前後方向における長さが前記クロッチ部の長さよりも短くて、前記前後方向へ弾性的に伸長すると前記クロッチ部よりも長くなることが可能な弾性生地が前記クロッチ部の前端部分と前記後端部分とのみに縫合されている。
（３）前記ショーツの前記頂部では、前記横方向へ弾性的に伸長可能なウエストベルト部を形成している。
（４）前記ウエストベルト部は、前記前胴回り部に形成されている部分の前記横方向における伸長力が前記後胴回り部に形成されている部分の前記横方向における伸長力よりも小さい。
（５）前記前胴回り部における前記ウエストベルト部では、前記前胴回り部を形成しているシート部材が重ね合せてあり、前記後胴回り部における前記ウエストベルト部では、前記後胴回り部を形成しているシート部材が重ね合せてあって、前記前胴回り部で重ね合せてある前記シート部材の枚数が前記後胴回り部で重ねてある前記シート部材の枚数よりも少ない。
（６）前記ウエストベルト部は、前記ショーツの着用者の腸骨の上方で前記着用者に密着可能なものである。
【符号の説明】
【００３７】
１    ショーツ
２    前胴回り部
２ａ    中央部分
３    後胴回り部
３ｃ    中央部分
４    クロッチ部
４ｃ    前端部分
４ｄ    後端部分
５    折曲線
１７ａ    下方部位
１７ｂ    上方部位
２０    頂部
２１    ウエストベルト部
４１    弾性生地
Ａ    縦方向
Ｂ    横方向
Ｗ１    幅
Ｗ２    幅
Ｗ３    幅
【図１】
2015048547.tif 000003
【図２】
2015048547.tif 000004
【図３】
2015048547.tif 000005
【図４】
2015048547.tif 000006